(57)【要約】【課題】監視カメラの映像を同時に複数表示するため画面を分割し、各分割画面領域に縮小映像を表示するが、各分割画面領域に映像表示するには、映像を復号する必要があり、画面の分割数が多くなるほど高い復号器の能力が要求され、復号器能力不足の場合、連続映像の何枚かを間引いて表示するため、映像の円滑さが損なわれる。【解決手段】監視カメラで撮像された複数の映像を監視レコーダが符号化して記録し、表示のため監視映像表示端末に送信する際、複数の映像を復号して、映像の大きさを監視映像表示端末の指定に縮小し映像同士を結合して再度符号化し、監視映像表示端末は、監視レコーダからの符号化映像を復号し、復号映像から、監視レコーダで結合される前の複数の映像を切り出し、切り出した映像を画面上の任意の位置に表示可能な信号を出力する。【選択図】図１
2009296135.tif 000002
【特許請求の範囲】
【請求項１】
監視映像を撮像する監視カメラと、
監視カメラで撮像された複数の映像を符号化して記録する監視レコーダと、
監視レコーダと信号が相互に授受される監視映像表示端末とを備える映像監視システムであって、
監視レコーダは、記録された複数の映像を監視映像表示端末に送信する際に、符号化された複数の映像を復号して、映像の解像度を監視映像表示端末から指定された大きさに縮小し、縮小した複数の映像同士を結合し、結合した映像を再度符号化して送信し、
監視映像表示端末は、監視レコーダからの符号化映像を復号し、復号した映像から、監視レコーダにおいて結合される前の複数の映像を切り出し、切り出した映像を画面上の任意の位置に表示可能な信号を出力することを特徴とする映像監視システム。
【請求項２】
監視レコーダは複数備えられ、複数の監視レコーダのうちの１つが監視映像表示端末の機能を果たすことを特徴とする請求項１記載の映像監視システム。
【請求項３】
監視レコーダは、縮小し結合し符号化して送信する映像が、監視レコーダに記録された符号化映像を復号した映像と、監視カメラが出力するライブ映像とを混合した映像であることを特徴とする請求項１または２記載の映像監視システム。
【請求項４】
監視カメラは複数備えられ、複数の監視カメラうちのいくつかは符号化した映像が出力可能とされ、
監視レコーダは、縮小し結合し符号化して送信する映像が、監視レコーダに記録された符号化映像を復号した映像と、監視カメラが出力するライブ映像と、符号化映像出力可能な監視カメラが出力する符号化されたライブ映像を復号した映像とを混合した映像であることを特徴とする請求項３記載の映像監視システム。
【請求項５】
監視レコーダは複数備えられ、
符号化映像を同報出力可能な監視カメラの映像を記録する監視レコーダと、
符号化映像を同報出力可能な監視カメラの映像を復号し縮小し結合して符号化し、送信する監視レコーダとを別個とすることを特徴とする請求項４記載の映像監視システム。
【請求項６】
監視レコーダは複数備えられ、
監視映像表示端末または監視映像表示端末の機能を果たす監視レコーダ以外の監視レコーダは、監視映像表示端末または監視映像表示端末の機能を果たす監視レコーダに記録映像を復号し縮小し結合して符号化し送信する際に、監視映像表示端末の機能を果たす監視レコーダ以外の他の監視レコーダに記録映像を送信し、
送信された他の監視レコーダは、送信された記録映像と自己の記録映像とを復号し縮小し結合して符号化し、監視映像表示端末または監視映像表示端末の機能を果たす監視レコーダに送信することを特徴とする請求項１〜５の何れか１項に記載の映像監視システム。
【発明の詳細な説明】
【技術分野】
【０００１】
この発明は、例えば、ビルや構内等の撮影映像を表示装置に表示して監視を行う映像監視システムに関する。
【背景技術】
【０００２】
映像監視システムの構成要素である監視レコーダは一般的に、ハードディスクドライブのような記録媒体を搭載し、監視映像をデジタル化しＭｏｔｉｏｎＪＰＥＧ（Joint Photographic Expert Group）やＭＰＥＧ２（Moving Picture Expert Group 2）などの方式により映像圧縮・符号化を施した上で記録を行う。また、監視カメラには、映像を撮影しＮＴＳＣ(National Television System Committee)などの信号方式によって出力したり、あるいは映像をデジタル化しＭｏｔｉｏｎＪＰＥＧやＭＰＥＧ２などの方式により映像圧縮・符号化を施した上で伝送を行うものもある。
【０００３】
一方、これら監視レコーダに記録された映像や、前記符号化された映像を出力する監視カメラの映像を表示する機器においては、例えば特開平８−２２５８６号公報において開示されているように、同時に１台の監視カメラ映像を表示できるだけでなく、同時に複数の映像を表示するために画面を分割し、分割した各々の画面領域に縮小した映像を表示できるものがある。
【０００４】
【特許文献１】特開平８−２２５８６号公報
【発明の開示】
【発明が解決しようとする課題】
【０００５】
このような表示機器においては、分割した各々の画面領域に映像を表示するために、映像を復号する必要があるが、画面を分割する数が多くなるほど高い復号器の能力が要求されるという問題があった。
また、復号器の能力が不足する場合、連続映像のうちの何枚かを間引いて表示を行うため、映像の円滑さが損なわれるという問題があった。
【課題を解決するための手段】
【０００６】
この発明に係る映像監視システムは、
監視映像を撮像する監視カメラと、
監視カメラで撮像された複数の映像を符号化して記録する監視レコーダと、
監視レコーダと信号が相互に授受される監視映像表示端末とを備える映像監視システムであって、
監視レコーダは、記録された複数の映像を監視映像表示端末に送信する際に、符号化された複数の映像を復号して、映像の解像度を監視映像表示端末から指定された大きさに縮小し、縮小した複数の映像同士を結合し、結合した映像を再度符号化して送信し、
監視映像表示端末は、監視レコーダからの符号化映像を復号し、復号した映像から、監視レコーダにおいて結合される前の複数の映像を切り出し、切り出した映像を画面上の任意の位置に表示可能な信号を出力する。
【発明の効果】
【０００７】
この発明に係る映像監視システムによれば、監視カメラの映像を記録する監視レコーダは監視カメラの映像を符号化して記録し、監視映像表示端末に送信する際には、符号化映像を復号し、映像の解像度を監視映像表示端末から指定された大きさに縮小し、縮小した複数の映像同士を結合し再度符号化して送信し、監視映像表示端末は、監視レコーダからの符号化映像を復号し、復号した映像から、監視レコーダでの結合前の複数の映像を切り出し、その映像を画面上の任意の位置に表示可能な信号を出力するので、監視映像表示端末が備える能力より多くの映像を同時に表示すること、もしくは、監視レコーダと監視映像表示端末の間で通信するデータ量を削減することができる。
また、監視映像表示端末において、分離部によって、受信した結合映像を分離してから、結合部において任意の位置に表示できるよう構成したため、分割画面において映像を表示する位置が制約されることもない。
【発明を実施するための最良の形態】
【０００８】
実施の形態１．
図１は、この発明の実施の形態１を示す図である。図１において、
１ａ〜１ｐは監視映像を撮像する監視カメラ、
２ａ〜２ｄは監視カメラの映像を記録する監視レコーダである。
監視レコーダ２ａにおいて、
２０は監視カメラからの映像信号を受信し、デジタルの映像に変換する映像受信部、
２１は映像受信部２０からの映像を符号化する符号化部、
２２は符号化された映像を記録する記録媒体、
２３は記録された符号化映像を復号する復号部、
２４は映像を縮小する縮小部、
２５は映像を結合する結合部、
２６は符号化された映像などを外部と通信する通信部である。
監視レコーダ２ｂ〜２ｄについては内部構成を図示しないが、監視レコーダ２ａと同様であるものとする。
【０００９】
また、３はデータを通信する通信網であり、ＬＡＮ（Local Area Network）であっても、広域網であっても良く、また通信網３上での通信に用いられるプロトコルも、ＴＣＰ(Transmission Control Protocol)／ＩＰ(Internet Protocol)であっても良いし、その他のプロトコルであっても良い。通信網３は、多数の機器やケーブル等から構成されるが、それらについては図示しない。
４は監視映像を表示する監視映像表示端末であり、監視映像表示端末４において、
４１は符号化された映像などを外部と通信する通信部、
４２は符号化された映像を復号する復号部、
４３は映像から所望の領域を切り出す分離部、
４４は映像を所望の表示位置に結合する結合部、
４５は映像を出力する表示部である。
【００１０】
また、５は表示部４５から出力される映像を受け取り、映像を表示する表示装置である。
なお、監視レコーダ２および監視映像表示端末４は図示しない制御部を持ち、制御部以外の各部を制御する。よって、動作の説明において監視レコーダ２および監視映像表示端末４の各部が主体的に動作するよう記載している場合でも、実際には制御部からの制御により動作するものとする。
また、図５は、本実施の形態１において監視カメラ映像がどのように加工されるかを示す図である。
１０１ａ〜１０１ｄは、監視カメラ１ａ〜１ｄが撮影したカメラ映像、
１０２ａ〜１０２ｄは、カメラ映像１０１ａ〜１０１ｄを縮小部２４で縮小した縮小映像、
１０３は縮小映像１０２ａ〜１０２ｄを結合部２５で結合した結合映像であり、
１０４は結合映像１０３を分離部４３で分離し結合部４４で結合している途中の、再生映像作成中映像である。
【００１１】
次に、動作について説明する。
映像受信部２０は、監視カメラ１ａ〜１ｄからの映像、すなわちカメラ映像１０１ａ〜１０１ｄを受信し、符号化部２１に送信する。ここで、監視カメラ１ａ〜１ｄと映像受信部２０の間で映像を送受信する方式は、何であってもよい。
符号化部２１では、受信した映像を符号化し、記録媒体２２に記録する。ここで、符号化部２１が符号化する符号化方式についても、Motion JPEGであっても、MPEG1であっても、MPEG2であっても、MPEG4であっても、H.264であっても、その他の符号化方式であっても良い。
【００１２】
このようにして記録された映像を送信するよう、監視映像表示端末４から通信網３を介し通信部２６を経由して要求を受けると、復号部２３は記録媒体２２から所望の映像を読み出し、読み出した映像を復号し、縮小部２４に送信する。なお、復号した映像は、カメラ映像１０１ａ〜１０１ｄと同様になる。縮小部２４では受信したカメラ映像１０１ａ〜１０１ｄを所望の大きさに縮小し縮小映像１０２ａ〜１０２ｄを作成し、結合部２５に送信する。結合部２５では、受信した縮小映像１０２ａ〜１０２ｄを結合して１枚の映像、すなわち結合映像１０３を生成し、符号化部２１に送信する。符号化部２１では受信した結合映像１０３を符号化し、通信部２６に送信する。通信部２６では、符号化映像を、通信網３を介して監視映像表示端末４に送信する。
【００１３】
監視映像表示端末４では、監視レコーダ２から通信網３を介して受信した符号化映像を、通信部４１において受信する。通信部４１では、符号化された受信映像を復号部４２に送信し、復号部４２では符号化された映像を復号し、結合映像１０３を得る。このようにして得られた結合映像１０３を分離部４３に送信し、分離部４３では映像を分割し、縮小映像１０２ａ〜１０２ｄを得、監視映像表示端末４の結合部４４に送信する。結合部４４では、受信した縮小映像１０２ａ〜１０２ｄを所望の位置に再生映像作成中映像１０４（図５を参照）を生成する。また、以上の動作を監視レコーダ２ｂ〜２ｄについても繰り返し行い、最終的な表示映像を作成し、表示部４５に渡す。表示部４５では、映像を電気信号に変換し、表示装置５に送信する。表示装置５は受信した映像を表示する。
【００１４】
このように構成することによる効果について、例を挙げて説明する。例えば、監視レコーダ２ａ〜２ｄはそれぞれＶＧＡ(Video Graphics Array)サイズ、すなわち、横６４０画素、縦４８０画素の映像を毎秒１２０枚符号化する能力と、毎秒１２０枚復号する能力を備えており、監視映像表示端末４はＶＧＡサイズの映像を毎秒１２０枚復号する能力を備えており、監視カメラ１ａ〜１ｐそれぞれはＶＧＡサイズの映像を毎秒３０枚出力する能力を備えているものとする。また、監視レコーダ２ａ〜２ｄには、それぞれに接続された監視カメラ１ａ〜１ｐのうちの４台ずつのカメラが出力した毎秒３０枚の映像、すなわち、監視レコーダ２ａ〜２ｄには１台あたり毎秒１２０枚の映像が、所望の時間分記録されているものとする。
【００１５】
表示装置５は横１２８０画素、縦９６０画素の表示能力および画面を持ち、画面を縦４分割横４分割、計１６分割し分割画面のそれぞれがＱＶＧＡ（Quarter Video Graphics Array)サイズ、すなわち横３２０画素、縦２４０画素を表示可能であるように構成されているものとする。
監視映像表示端末４において上記記録映像の全て、すなわち監視カメラ１ａ〜１ｐの記録映像を再生するとき、監視レコーダ２ａ〜２ｄは、それぞれに記録されたカメラ４台分の毎秒１２０枚の映像を復号し、ＱＶＧＡサイズに縮小し、縮小した映像を縦２枚、横２枚結合して、４枚のＱＶＧＡ映像から１枚のＶＧＡ映像を作成する。結合したＶＧＡ映像は監視レコーダ２ａ〜２ｄの１台あたり毎秒３０枚生成されるため、監視レコーダ２ａ〜２ｄ４台分の合計で毎秒１２０枚となり、監視映像表示端末４において、全ての映像を復号することが可能である。
【００１６】
これに対し、本実施の形態１によらず、監視レコーダ２ａ〜２ｄが記録された映像を変換せずに監視映像表示端末４に送信した場合、監視映像表示端末４では合計で毎秒４８０枚のＶＧＡ映像を受信するが、毎秒１２０枚のＶＧＡ映像を復号する能力しか備えないため、受信した映像のうち４枚に１枚しか復号できず、各映像毎には毎秒７．５枚の映像しか再生できないため、再生した映像の円滑さが損なわれる。もしくは、監視映像表示端末４が毎秒４８０枚のＶＧＡ映像の復号能力を備えている場合でも、通信網３により通信するデータ量は本発明実施の形態１による映像監視システムの４倍となる。
【００１７】
以上の例では、４台のカメラからのＶＧＡサイズの監視映像をＱＶＧＡに縮小し結合する場合について説明したが、映像サイズと結合するカメラ台数は何台であっても良い。例えば、４台のカメラからの横１２８０画素、縦９６０画素のの監視映像をＶＧＡに縮小し結合するのでも良いし、１６台のカメラからの横１２８０画素、縦９６０画素の監視映像をＱＶＧＡに縮小し結合するのでも良いし、また、他の組み合わせでも良く、この組み合わせは各監視カメラの解像度と監視映像表示装置４の画面解像度と画面の分割数によって最適な組み合わせを選択する。
【００１８】
映像監視システムを上記のように構成したため、表示装置５が備える能力より多くの映像を同時に表示することができる。もしくは、監視レコーダ２ａ〜２ｄと監視映像表示端末４の間で通信するデータ量を削減することができる。
また、監視映像表示端末４において、分離部４３によって、受信した結合映像を分離してから、結合部４４において任意の位置に表示できるよう構成したため、分割画面において映像を表示する位置が制約されることもない。
【００１９】
実施の形態２．
図２は、この発明の実施の形態２を示す図である。図２において、
２ｅは監視レコーダであり、映像を表示する機能を備え、
２３ｅは符号化された映像を復号する復号部、
２５ｅは映像を所望の表示位置に結合する結合部、
２６ｅは符号化された映像などを外部と通信する通信部、
２７ｅは映像から所望の領域を切り出す分離部、
２８ｅは映像を出力する表示部である。
その他の部分については、図１と同様である。
【００２０】
次に、動作について説明する。
復号部２３ｅは図１に示す実施の形態１における監視映像表示端末４の復号部４２と、結合部２５ｅは図１に示す実施の形態１における監視映像表示端末４の結合部４４と、通信部２６ｅは図１に示す実施の形態１における監視映像表示端末４の通信部４１と、分離部２７ｅは図１に示す実施の形態１における監視映像表示端末４の分離部４３と、表示部２８ｅは図１に示す実施の形態１における表示部４５と、それぞれ同様の役割を果たす。
よって、監視レコーダ２ｅは、図１に示す実施の形態１における監視映像表示装置４と同等の役割を果たす。
また、監視レコーダ２ａ〜２ｄについても、監視レコーダ２ｅと同等の構成としても良い。
また、図２における実施の形態２では監視レコーダ２ｅには監視カメラが接続されていないが、接続されていても良い。
【００２１】
映像監視システムを上記のように構成したため、監視レコーダ２ｅにおいて映像を再生する場合であっても、実施の形態１と同様の効果が得られる。一般に、監視レコーダは、監視レコーダ２ｅと同様に映像を記録する機能のみでなく、映像を再生する機能も併せ持つことが多く、また主にコストの制約から搭載する符号化器や復号器の能力には一定の限度があるが、本実施の形態２によれば、前記のような一般の監視レコーダを組み合わせた映像監視システムによって、単体の監視レコーダが備えるより高い性能によって、監視映像の再生を行うことが可能となる。
【００２２】
実施の形態３．
図３は、この発明の実施の形態３を示す図であり、図３に示す実施の形態３の構成は図２に示す実施の形態２の構成と同様であるが、監視レコーダ２ａにおいて、映像受信部２０が受信した映像を、縮小部２４に直接送信可能なように構成した点が異なる。
縮小部２４には、記録媒体２２に記録されていた映像と、映像受信部２０を経由して監視カメラ１ａ〜１ｄから出力された映像の双方が入力され、これらの映像を等しく縮小する。
同様に、結合部２５においても、記録媒体２２に記録されていた映像から復号部２３、縮小部２４の処理を経て作成された縮小映像と、映像受信部２０を経由して監視カメラ１ａ〜１ｄより出力された映像から縮小部２４の処理で作成された縮小映像の双方が入力され、これらの映像を等しく結合する。
【００２３】
映像監視システムを上記のように構成したため、監視レコーダに記録された映像を再生する場合だけでなく、監視カメラからのライブ映像と監視レコーダに記録された映像とを混合して再生する場合であっても、実施の形態１〜２と同様の効果が得られる。
【００２４】
なお、上記説明は図２に示す実施の形態２を元にした説明であるが、図１に示す実施の形態１を元にした説明としても同様な動作・効果が得られる。
【００２５】
実施の形態４．
図４は、この発明の実施の形態４を示す図である。
図４において、１ｑは、符号化映像を直接出力可能な監視カメラであり、通信網３を経由した通信を行う機能を備える。その他の部分については、図３に示す実施の形態３と同様である。
【００２６】
次に、動作について説明する。監視カメラ１ｑは、撮影した映像を符号化して、通信網３を経由して監視レコーダ２ａに送信する。監視レコーダ２ａは、通信部２６において監視カメラ１ｑから送信された符号化映像を受信する。通信部２６は受信した符号化映像を復号部２３に送信する。復号部２３と縮小部２４を経て復号され縮小された縮小映像は、結合部２５において、記録媒体２２より読み出された符号化映像から復号部２３と縮小部２４を経て復号され縮小生成された縮小映像や、監視カメラ１ａ〜１ｃより送信されたライブ映像から縮小部２４を経て生成された縮小映像と結合される。
以降の動作は、実施の形態３と同様である。
【００２７】
なお、通信部２６において受信した監視カメラ１ｑからの符号化映像を、記録媒体２２に直接記録しても良いが、しなくてもよい。
また、本実施の形態では、符号化しない映像を出力する監視カメラ１ａ〜１ｃおよび１ｅ〜１ｐが接続されるように記載したが、これら全てが符号化映像を出力する監視カメラ１ｑと同様の監視カメラであっても良い。
【００２８】
映像監視システムを以上のように構成することにより、監視カメラのうちの何台かが符号化映像を直接出力するものである場合でも、実施の形態１〜３と同様の効果が得られる。特に、符号化映像を直接出力する監視カメラの映像を監視レコーダに記録する場合、監視レコーダの符号化器を介さずに記録が可能であるため、再生時には相対的に復号器の能力が不足することがあるが、本実施の形態４によれば、監視カメラ１ａ〜１ｃより送信されたライブ映像は復号部２３を通さずに縮小部２４で縮小され結合部２５に送信されるので、復号器の能力が不足することを回避できる。
【００２９】
実施の形態５．
実施の形態５に関わる映像監視システムの構成は図４と同様であるが、動作において実施の形態４と異なる点があるため、以下に説明する。
実施の形態５においては、監視カメラ１ｑは符号化映像を送信する際に、通信網３に接続された複数の機器に同報送信可能である。同報送信を行う方法は、ＴＣＰ／ＩＰネットワークにおけるマルチキャストのような方式であってもよいし、単に送信したい対象機器の全てに対して個別に送信を繰り返しても良いし、別の方法であっても良い。
例えば、監視カメラ１ｑが出力する符号化映像は、監視レコーダ２ｂに送信され記録されると同時に、監視レコーダ２ａにも送信されるものとする。また、監視レコーダ２ａは監視カメラ１ａ〜１ｃの映像を記録し、監視レコーダ２ｂは監視カメラ１ｅ〜１ｈおよび監視カメラ１ｑの映像を記録し、監視レコーダ２ｃは監視カメラ１ｉ〜１ｌの映像を記録し、監視レコーダ２ｄは監視カメラ１ｍ〜１ｐの映像を記録しているものとする。
【００３０】
ここで、監視レコーダ２ｅにおいて、監視カメラ１ａ〜１ｃおよび１ｅ〜１ｑの１６台のライブ映像を表示する場合、監視カメラ１ｑの映像については、映像を記録する監視レコーダ２ｂではなく、監視カメラが３台接続されている監視レコーダ２ａにおいて受信され復号され縮小され、監視カメラ１ａ〜１ｃの映像を縮小した映像と結合されて監視レコーダ２ｅに送信される。
すなわち、監視レコーダ２ｂにおいては監視カメラ１ｅ〜１ｈと監視カメラ１ｑの５台の映像を記録しているが、各監視レコーダの制御部には本システムを構成する他の監視レコーダに接続される監視カメラの台数が記憶されており、監視レコーダ２ｂの制御部は、監視レコーダ２ａには監視カメラ１ａ〜１ｃの３台が接続されていることが判明しているので、ライブ映像の再生時には、監視レコーダ２ｂは監視カメラ１ｑの映像については、復号、縮小、結合して監視レコーダ２ｅに送信せずに、別のレコーダ２ａにおいて監視カメラ１ｑの映像を受信し復号し縮小し結合し符号化して送信することにより、監視レコーダ２ａ〜２ｄのそれぞれにおいて４台の監視カメラ映像を結合すればよいことになる。
【００３１】
これに対し、本実施の形態５に依らない映像監視システムにおいては、監視レコーダ２ｂにて映像を記録する監視カメラ１ｅ〜１ｈと、監視カメラ１ｑの５台の映像を受信し復号し縮小し結合し符号化して送信する際に、例えば映像サイズを縦横２分の１にした場合でも結合した映像は2枚となり、無駄が生じることになる。
【００３２】
映像監視システムを以上のように構成することにより、監視レコーダ毎に映像を記録する監視カメラの台数が異なる場合であっても、監視カメラ映像を同報送信することにより、符号化器と符号器の能力を効率的に用いて再生を行うことが可能となり、実施の形態１〜４と同様の効果が得られる。
【００３３】
実施の形態６．
実施の形態６に関わる映像監視システムの構成は図１〜４のいずれと同様であっても良いが、動作において異なる点がある。以下に、図４に示す実施の形態４を元に構成した場合について説明する。
【００３４】
監視カメラ１ａ〜１ｐの映像は、監視レコーダ２ａ〜２ｄのうち、それぞれが直接接続された監視レコーダに記録されており、監視カメラ１ｑの映像は、監視レコーダ２ｂに記録されており、これらの記録は所定の時間行われていたものとする。これら１６台の監視カメラ全ての記録映像を監視レコーダ２ｅにおいて同時に再生する場合、５台分の監視カメラ映像が記録された監視レコーダ２ｂから、そのうちの１台分の監視カメラ映像のみを取り出して、復号して縮小して結合して符号化する処理を行わず、実施の形態５と同様に監視レコーダ２ｂの制御部が記憶している監視カメラ１ａ〜１ｃの３台が接続され、３台分の監視カメラ映像が記録された監視レコーダ２ａに対して送信する。
監視レコーダ２ａにおいては、監視レコーダ２ｂから受信した１台分の監視カメラ映像と、監視レコーダ２ａに記録されている３台分の監視カメラ映像をあわせて、復号して縮小して結合して符号化して、監視レコーダ２ｅに送信する。
【００３５】
映像監視システムを以上のように構成することにより、監視レコーダ毎に映像を記録した監視カメラの台数が異なる場合であっても、監視レコーダ相互に符号化映像を送信することによって符号化器と復号器の能力を効率的に用いて再生を行うことが可能となり、実施の形態１〜５と同様の効果が得られる。
【産業上の利用可能性】
【００３６】
この発明による映像監視システムは多数の監視カメラによる映像を同時に表示することができ、例えば、店舗や銀行での監視システムに利用可能である。
【図面の簡単な説明】
【００３７】
【図１】この発明の実施の形態１を示す構成図である。
【図２】この発明の実施の形態２を示す構成図である。
【図３】この発明の実施の形態３を示す構成図である。
【図４】この発明の実施の形態４を示す構成図である。
【図５】この発明における監視カメラ映像の加工状況を示す説明図である。
【符号の説明】
【００３８】
１ａ〜１ｐ；監視カメラ、２ａ〜２ｄ；監視レコーダ、２０；映像受信部、２１；符号化部、２２；記録媒体、２３；復号部、２４；縮小部、２５；結合部、３；通信網、４；監視映像表示端末、４１；通信部、４２；復号部、４３；分離部、４４；結合部、４５；表示部、５；表示装置、１０１ａ〜１０１ｄ；カメラ映像、１０２ａ〜１０２ｄ；縮小映像、１０３；結合映像、１０４；再生映像作成中映像。
【図１】
2009296135.tif 000003
【図２】
2009296135.tif 000004
【図３】
2009296135.tif 000005
【図４】
2009296135.tif 000006
【図５】
2009296135.tif 000007